(57)【要約】    【課題】宅配ボックスの利用状況を定期的またはリアルタイムで住戸内に在室中の居住者や管理室内等に在室中の管理人に対して報知し確認させる。    【解決手段】集合玄関機１、宅配ボックス４とともに制御機６により制御される複数の居室親機２ａ、２ｂ、・・・および管理室親機３のうち、居室親機は、宅配ボックスまたは宅配センター５から制御機を介して伝送されてくる自住戸宛ての宅配ボックスの利用状況を居室親機表示部２３に表示する。一方、管理室親機は、宅配ボックスまたは宅配センターから制御機を介して伝送されてくる宅配ボックスの利用状況を管理室親機表示部３３に表示し、宅配ボックスの利用状況を管理室親機音声合成回路３５により音声で鳴動するばかりでなく、宅配ボックスを長時間利用していることを居室親機の居室親機表示部に表示させ、居室親機音声合成回路２５により音声で鳴動させて注意通知を行う。    【選択図】  図１
2005079682.tif 000002
【特許請求の範囲】
【請求項１】
集合玄関に設置される集合玄関機（１）と、各住戸内に設置される複数の居室親機（２ａ、２ｂ、・・・）と、管理室内等に設置される管理室親機（３）と、共用部に設置される宅配ボックス（４）と、前記宅配ボックスを制御し、管理するための宅配センター（５）と、前記集合玄関機、前記居室親機、前記管理室親機、前記宅配ボックスをそれぞれ制御するための制御機（６）とから構成され、
前記管理室親機は、前記宅配ボックスまたは前記宅配センターから前記制御機を介して伝送されてくる前記宅配ボックスの利用状況を表示するための管理室親機表示部（３３）と、前記宅配ボックスの利用状況を音声で鳴動するための管理室親機音声合成回路（３５）とを備え、
前記居室親機は、前記宅配ボックスまたは前記宅配センターから前記制御機を介して伝送されてくる自住戸宛ての前記宅配ボックスの利用状況を表示するための居室親機表示部（２３）を備え、
前記管理室親機は、前記宅配ボックスを長時間利用していることを前記居室親機の居室親機表示部にて表示し、居室親機音声合成回路（２５）により音声で鳴動させて注意通知を行うことを特徴とする集合住宅インターホンシステム。
【請求項２】
前記制御機は、前記宅配ボックスとの間で通信を行うための通信回路（６４）と、前記宅配ボックスが宅配ボックス滞留情報を送信する機能のＯＮ／ＯＦＦを区別するための切替スイッチ（６５）とを備え、前記宅配ボックスが宅配ボックス滞留情報を送信する機能を有していない場合、前記切替スイッチをＯＦＦに切り替えて、前記宅配ボックスからの宅配ボックス着荷情報の受信時から一定間隔で前記居室親機音声合成回路により滞留音声を鳴動させることを特徴とする請求項１記載の集合住宅インターホンシステム。
【請求項３】
前記居室親機および前記管理室親機のうち何れか一方は、前記居室親機音声合成回路からの前記宅配ボックス着荷情報、前記宅配ボックス滞留情報の鳴動を遮断するための時間帯設定部（２２ａ、３２ａ）を備え、前記制御機は、前記時間帯設定部にて設定された時間帯において前記鳴動を遮断するとともに前記居室親機表示部により自住戸宛ての前記宅配ボックス着荷情報、前記宅配ボックス滞留情報を表示させることを特徴とする請求項１または請求項２記載の集合住宅インターホンシステム。
【発明の詳細な説明】
【技術分野】
【０００１】
本発明は集合住宅インターホンシステムに係り、特に、集合住宅に居住する住人により利用可能な宅配ボックスへの着荷、当該宅配ボックスの長時間の利用による滞留等を管理および制御する機能を備えた集合住宅インターホンシステムに関する。
【背景技術】
【０００２】
従来から、この種の集合住宅インターホンシステムとして、集合住宅に居住する住人により利用可能な宅配ボックスを備えた集合住宅インターホン装置が提案されている（例えば、特許文献１を参照）
従来例の集合住宅インターホン装置によれば、制御機により制御される集合玄関機、複数の居室親機、宅配ロッカーのうち、集合住宅に居住する住人、例えば、各住戸内に居住する住人（以下、居住者という。）により利用可能な宅配ロッカーに宅配業者等からの着荷があった場合、この着荷が自住戸宛てである居住者が帰宅時等において集合玄関機にて宅配情報を確認することができる集合住宅インターホン装置が提案されている。
【０００３】
【特許文献１】特開平９−９８２２０号公報（段落番号００１９〜００２７、図１〜図３）
【発明の開示】
【発明が解決しようとする課題】
【０００４】
しかしながら、従来例の集合住宅インターホン装置において、宅配ロッカーに宅配業者等からの着荷があった場合の宅配情報の確認は、着荷の宛先である居住者が帰宅時等において集合玄関機にて確認する手段のみであり、住戸内に在室中の居住者や管理室内等に在室中の管理人は、宅配ロッカーの利用状況を定期的またはリアルタイムに確認することができず、宅配情報を確認するためには、宅配ロッカーの設置場所である集合住宅の共用部まで赴かなくてはならず煩雑さを有していた。
【０００５】
また、従来例の集合住宅インターホンシステムにおいて、宅配ロッカーから制御機へと送信される情報は、宅配業者等からの着荷があった旨の宅配情報のみであり、宅配ロッカーが長時間利用されている旨の滞留情報を送信する機能が備えられていなかった。
【０００６】
本発明は、上述の難点を解消するためになされたもので、宅配ボックスの利用状況を定期的またはリアルタイムで住戸内に在室中の居住者や管理室内等に在室中の管理人に対して報知し確認させるとともに、宅配ボックスが有する情報の送信機能に基づく通信設定の制御を制御機にて行うことができる集合住宅インターホンシステムを提供することを目的としている。
【課題を解決するための手段】
【０００７】
上述の目的を達成するため、本発明の第１の態様である集合住宅インターホンシステムは、集合玄関に設置される集合玄関機と、各住戸内に設置される複数の居室親機と、管理室内等に設置される管理室親機と、共用部に設置される宅配ボックスと、宅配ボックスを制御し、管理するための宅配センターと、集合玄関機、居室親機、管理室親機、宅配ボックスをそれぞれ制御するための制御機とから構成されている。管理室親機は、宅配ボックスまたは宅配センターから制御機を介して伝送されてくる宅配ボックスの利用状況を表示するための管理室親機表示部と、宅配ボックスの利用状況を音声で鳴動するための管理室親機音声合成回路とを備えている。居室親機は、宅配ボックスまたは宅配センターから制御機を介して伝送されてくる自住戸宛ての宅配ボックスの利用状況を表示するための居室親機表示部を備えている。管理室親機は、宅配ボックスを長時間利用していることを居室親機の居室親機表示部にて表示し、居室親機音声合成回路により音声で鳴動させて注意通知を行うものである。
【０００８】
また、本発明の第１の態様は本発明の第２の態様である集合住宅インターホンシステムにおいて、制御機は、宅配ボックスとの間で通信を行うための通信回路と、宅配ボックスが宅配ボックス滞留情報を送信する機能のＯＮ／ＯＦＦを区別するための切替スイッチとを備え、宅配ボックスが宅配ボックス滞留情報を送信する機能を有していない場合、切替スイッチをＯＦＦに切り替えて、宅配ボックスの宅配ボックス着荷情報の受信時から一定間隔で居室親機音声合成回路により滞留音声を鳴動させるものである。
【０００９】
また、本発明の第１の態様または第２の態様は本発明の第３の態様である集合住宅インターホンシステムにおいて、居室親機および管理室親機のうち何れか一方は、宅配ボックス着荷情報、宅配ボックス滞留情報の居室親機音声合成回路からの鳴動を遮断するための時間帯設定部を備え、制御機は、時間帯設定部にて設定された時間帯において鳴動を遮断するとともに居室親機表示部により自住戸宛ての宅配ボックス着荷情報、宅配ボックス滞留情報を表示させるものである。
【発明の効果】
【００１０】
本発明の集合住宅インターホンシステムの第１の態様によれば、集合玄関機、宅配ボックスとともに制御機により制御される複数の居室親機および管理室親機のうち、居室親機は、宅配ボックスまたは宅配センターから制御機を介して伝送されてくる自住戸宛ての宅配ボックスの利用状況を居室親機表示部に表示することができ、管理室親機は、宅配ボックスまたは宅配センターから制御機を介して伝送されてくる宅配ボックスの利用状況を管理室親機表示部に表示し、宅配ボックスの利用状況を管理室親機音声合成回路により音声で鳴動することができるばかりでなく、宅配ボックスを長時間利用していることを居室親機の居室親機表示部に表示させ、居室親機音声合成回路により音声で鳴動させて注意通知を行うことができる。
【００１１】
また、本発明の集合住宅インターホンシステムの第２の態様によれば、制御機の通信回路へと宅配ボックス滞留情報を送信する機能が宅配ボックスに備えられておらず、制御機の切替スイッチがＯＦＦに切り替えられている状態において、これを検出した制御機の制御により、宅配ボックスからの宅配ボックス着荷情報の受信時から一定間隔で居室親機の居室親機音声合成回路により滞留音声を鳴動させることができる。
【００１２】
また、本発明の集合住宅インターホンシステムの第３の態様によれば、居室親機および管理室親機のうち何れか一方に備えられる時間帯設定部にて設定された時間帯、例えば、深夜間帯において、居室親機音声合成回路による自住戸宛ての宅配ボックス着荷情報、宅配ボックス滞留情報の鳴動を遮断させることができるばかりでなく、上述の宅配ボックス着荷情報、宅配ボックス滞留情報は居室親機表示部に表示させることができる。
【発明を実施するための最良の形態】
【００１３】
以下、本発明の集合住宅インターホンシステムを適用した最良の実施の形態例について、図面を参照して説明する。
【００１４】
図１は、本発明の実施例による集合住宅インターホンシステムの構成を示すブロック図である。
【００１５】
図１のブロック図に示す集合住宅インターホンシステムは、集合住宅の集合玄関に設置される集合玄関機１と、集合住宅の各住戸内に設置され、個別の居室番号（詳述せず）を有する複数の居室親機２ａ、２ｂ、・・・と、集合住宅の管理室内等に設置され、管理室番号（詳述せず）を有する管理室親機３と、集合住宅の共用部に設置され、当該集合住宅に居住する住人、すなわち、各住戸内に居住する居住者や管理室内等に居住する管理人が共用で使用するための複数のボックス部（図示せず）を備えた宅配ボックス４と、宅配ボックス４を制御し、管理するための宅配センター５と、集合住宅の共用部に設置され、玄関機ラインＬ1を介して接続された集合玄関機１、居室親機ラインＬ2を介してバス接続される複数の居室親機２ａ、２ｂ、・・・、管理室親機ラインＬ3を介して接続された管理室親機３、宅配ボックスラインＬ4を介して接続された宅配ボックス４をそれぞれ制御するための制御機６とから構成されている。
【００１６】
また、集合玄関機１には、当該集合玄関機の構成各部を制御するための制御回路（以下、玄関機制御回路という。）１０と、玄関機制御回路１０および玄関機ラインＬ1の間の信号（データ）／コマンド伝送路を形成するための通信回路（以下、玄関機Ｉ／Ｆという。）１１と、集合玄関に居る来訪者が各住戸のうち特定の住戸内に在室中の居住者、または管理室内等に在室中の管理人を呼び出すために所定の呼出操作（詳述せず）等を行うとともに、上述の居住者や管理人が帰宅時等において集合玄関の玄関戸の施錠されている電気錠（図示せず）を解錠させるために所定の解錠操作（詳述せず）等を行う操作部（以下、玄関機操作部という。）１２と、玄関機操作部１２の操作情報や解錠操作を行った居住者や管理人が居住する自住戸宛ての荷物が宅配ボックス４に保管されている旨の着荷情報（宅配ボックス着荷情報）等を表示するための表示部（以下、玄関機表示部という。）１３と、来訪者が呼出先である居住者または管理者との間で通話を成立させるための音声を送受信する通話部（以下、玄関機通話部という。）１４、解錠操作を行った居住者や管理人が居住する自住戸宛ての荷物が宅配ボックス４に保管されている旨の音声信号等を生成するための音声合成回路（以下、玄関機音声合成回路という。）１５と、親機音声合成回路１５にて生成された各種音声信号を増幅するためのアンプ（以下、玄関機アンプという。）１６と、玄関機アンプ１６を介して増幅された各種音声信号を信号処理して鳴動させるためのスピーカ（以下、玄関機スピーカという。）１７とが備えられている。
【００１７】
また、複数の居室親機２ａ、２ｂ、・・・はそれぞれ同様な構成であり、当該居室親機の構成各部を制御するための制御回路（以下、居室親機制御回路という。）２０と、居室親機制御回路２０および居室親機ラインＬ2の間の信号（データ）／コマンド伝送路を形成するための通信回路（以下、居室親機Ｉ／Ｆという。）２１と、住戸内に在室中の居住者が管理室内等に在室中の管理人を呼び出すために所定の呼出操作（詳述せず）を行うとともに、来訪者からの呼出時において集合玄関の玄関戸の施錠されている電気錠（図示せず）を解錠させるために所定の解錠操作（詳述せず）等を行う操作部（以下、居室親機操作部という。）２２と、居室親機操作部２２の操作情報、来訪者または管理人からの呼出情報、宅配ボックス４または宅配センター５から制御機６を介して伝送されてくる当該宅配ボックスの利用状況、宅配ボックス４から制御機６を介して伝送されてくる宅配ボックス着荷情報または宅配ボックス滞留情報等を表示するための表示部（以下、居室親機表示部という。）２３と、居住者が呼出元である来訪者または管理者、あるいは呼出先である管理人との間で通話を成立させるための音声を送受信する通話部（以下、居室親機通話部という。）２４と、来訪者または管理人からの呼び出しがある旨の呼出音信号、宅配ボックス４を長時間利用しており居住者に注意通知を行うための音声信号、宅配ボックス４に自住戸宛ての荷物が滞留されている旨の音声信号等を生成するための音声合成回路（以下、居室親機音声合成回路という。）２５と、居室親機音声合成回路２５にて生成された各種音声信号を増幅するためのアンプ（以下、居室親機アンプという。）２６と、居室親機アンプ２６を介して増幅された各種音声信号を信号処理して鳴動させるためのスピーカ（以下、居室親機スピーカという。）２７とが備えられている。
【００１８】
また、管理室親機３には、当該管理室親機の構成各部を制御するための制御回路（以下、管理室親機制御回路という。）３０と、管理室親機制御回路３０および管理室親機ラインＬ3の間の信号（データ）／コマンド伝送路を形成するための通信回路（以下、管理室親機Ｉ／Ｆという。）３１と、管理室内等に在室中の管理人が各住戸のうち特定の住戸内に在室中の居住者を呼び出すために所定の呼出操作（詳述せず）を行うとともに、宅配ボックス４を長時間利用している居住者に対して注意喚起するための所定の注意喚起操作（詳述せず）および来訪者からの呼出時において集合玄関の玄関戸の施錠されている電気錠（図示せず）を解錠させるために所定の解錠操作（詳述せず）等を行う操作部（以下、管理室親機操作部という。）３２と、管理室親機操作部３２の操作情報、来訪者または居住者からの呼出情報、宅配ボックス４または宅配センター５から制御機６を介して伝送されてくる当該宅配ボックスの利用状況等を表示するための表示部（以下、管理室親機表示部という。）３３と、管理人が呼出元である来訪者または居住者、あるいは呼出先である居住者との間で通話を成立させるための音声を送受信する通話部（以下、管理室親機通話部という。）３４と、来訪者または居住者からの呼び出しがある旨の呼出音信号、宅配ボックス４を長時間利用しており管理人に注意通知を行うための音声信号等を生成するための音声合成回路（以下、管理室親機音声合成回路という。）３５と、管理室親機音声合成回路３５にて生成された各種音声信号を増幅するためのアンプ（以下、管理室親機アンプという。）３６と、管理室親機アンプ３６を介して増幅された各種音声信号を信号処理して鳴動させるためのスピーカ（以下、管理室親機スピーカという。）３７とが備えられている。
【００１９】
なお、複数の居室親機２ａ、２ｂ、・・・および管理室親機３のうち何れか一方、本発明の実施例では、居室親機２ａ、２ｂ、・・・には、宅配ボックス４から制御機６を介して送信されてくる宅配ボックス着荷情報、宅配ボックス滞留情報の居室親機音声合成回路２５による居室親機スピーカ２７からの鳴動を遮断するための時間帯設定部２２ａが備えられており、この時間帯設定部２２ａは、上述の居室親機操作部２２に設けられる。
【００２０】
さらに、制御機６には、当該制御機の構成各部を制御するための制御回路（以下、制御機制御回路という。）６０と、制御機制御回路６０および玄関機ラインＬ1の間の信号（データ）／コマンド伝送路を形成するための通信回路（以下、玄関機側制御機Ｉ／Ｆという。）６１と、制御機制御回路６０および居室親機ラインＬ2の間の信号（データ）／コマンド伝送路を形成するための通信回路（以下、居室親機側制御機Ｉ／Ｆという。）６２と、制御機制御回路６０および管理室親機ラインＬ3の間の信号（データ）／コマンド伝送路を形成するための通信回路（以下、管理室親機側制御機Ｉ／Ｆという。）６３と、制御機制御回路６０および宅配ボックスラインＬ4の間の信号（データ）／コマンド伝送路を形成するための通信回路（以下、宅配ボックス側制御機Ｉ／Ｆという。）６４と、宅配ボックス４に備えられる宅配ボックス滞留情報の送信機能の有無の相違に対応してＯＮ／ＯＦＦ切り替えられる切替スイッチ６５と、宅配ボックス４の利用日時、利用者居室番号等の利用状況データを記憶するためのメモリ６６とが備えられている。
【００２１】
このように構成された本発明の実施例による集合住宅インターホンシステムにおいて、以下、具体的な動作について説明する。
【００２２】
なお、本発明の実施例において、集合玄関に居る来訪者が各住戸のうち特定の住戸内に在室中の居住者または管理室内等に在室中の管理人を呼び出して通話を成立させるための動作、特定の住戸内に在室中の居住者が管理人を呼び出して通話を成立させるための動作、管理人が特定の住戸内に在室中の居住者を呼び出して通話を成立させるための動作は、それぞれ従来例の該当動作と同様であることから説明は省略する。
【００２３】
図１のブロック図において、宅配センター５は、宅配ボックス４（に備えられる複数のボックス部）の利用状況を定期的に検出しており、検出された利用状況を示す宅配ボックス利用情報データは、宅配ボックス４または宅配センター５から宅配ボックスラインＬ4、制御機６の宅配ボックス側制御機Ｉ／Ｆ６４を介して制御機制御回路６０へと伝送される。
【００２４】
制御機６の制御機制御回路６０は、宅配ボックス４または宅配センター５からの宅配ボックス利用情報データを受信するたびにメモリ６６に予め記憶されている当該利用情報データを更新するとともに、宅配ボックス４の利用状況が変化したことを示す宅配ボックス利用状況取得コマンドを管理室親機側制御機Ｉ／Ｆ６３に出力する。この宅配ボックス利用状況取得コマンドは、管理室親機側制御機Ｉ／Ｆ６３から管理室親機ラインＬ3、管理室親機３の管理室親機Ｉ／Ｆ３１を介して管理室親機制御回路３０へと伝送される。
【００２５】
管理室親機３の管理室親機制御回路３０は、制御機６からの宅配ボックス利用状況取得コマンドに基づいて宅配ボックス４の利用状況が変化したことを検出し、管理室親機表示部３３を制御して宅配ボックス４の利用状況を表示させるとともに、管理室親機音声合成回路３５を制御して宅配ボックス４の利用状況を示す音声信号（以下、利用状況音声信号という。）を生成させる。この利用状況音声信号は、管理室親機アンプ３６を介して増幅された後、管理室親機スピーカ３７へと伝送されることにより、管理室内等に在室中の管理人は、管理室親機表示部３３の表示内容および管理室親機スピーカ３７の鳴動内容から宅配ボックス４の利用状況の変化を容易に確認することができる。
【００２６】
次に、管理室内等に在室中の管理人が宅配ボックス４（に備えられる複数のボックス部）の利用状況をリアルタイムで確認するために、管理室親機３の管理室親機操作部３２にて所定の確認操作（詳述せず）を行うと、この確認操作を検出した管理室親機制御回路３０は、宅配ボックス４の利用状況を確認するための宅配ボックス情報要求コマンドに管理室番号（詳述せず）を付加させて管理室親機Ｉ／Ｆ３１に出力する。この宅配ボックス情報要求コマンド（以下、管理室親機側宅配ボックス情報要求コマンドという。）は、管理室親機Ｉ／Ｆ３１から管理室親機ラインＬ3、制御機６の管理室親機側制御機Ｉ／Ｆ６３を介して制御機制御回路６０へと伝送される。
【００２７】
制御機６の制御機制御回路６０は、管理室親機３からの管理室親機側宅配ボックス情報要求コマンドに基づいて管理室内等に在室中の管理人により宅配ボックス４の利用状況の確認操作が行われたことを検出し、メモリ６６に予め記憶されている宅配ボックス４のリアルタイムの利用状況、すなわち、宅配ボックス４または宅配センター５からの宅配ボックス利用情報データに基づくリアルタイムの宅配ボックス情報取得コマンドを読み出して管理室親機側制御機Ｉ／Ｆ６３に出力する。この宅配ボックス情報取得コマンド（以下、管理室親機側宅配ボックス情報取得コマンドという。）は、上述の管理室親機側宅配ボックス情報要求コマンドの伝送経路と逆の経路を介して管理室親機３の管理室親機制御回路３０へと伝送される。
【００２８】
管理室親機３の管理室親機制御回路３０は、制御機６からの管理室親機側宅配ボックス情報取得コマンドに基づいて宅配ボックス４のリアルタイムの利用状況を検出し、管理室親機表示部３３を制御して宅配ボックス４のリアルタイムの利用状況を表示させることにより、管理室内等に在室中の管理人は、管理室親機表示部３３の表示内容から宅配ボックス４の利用状況をリアルタイムで容易に確認することができる。
【００２９】
次に、各住戸のうち特定の住戸内に在室中の居住者、ここでは、居室親機２ａが設置された住戸内に在室中の居住者が宅配ボックス４（の自己が利用しているボックス部）の利用状況をリアルタイムで確認するために、居室親機２ａの居室親機操作部２２にて所定の確認操作（詳述せず）を行うと、この確認操作を検出した居室親機制御回路２０は、宅配ボックス４の利用状況を確認するための宅配ボックス情報取得コマンドに個別の居室番号（詳述せず）を付加させて居室親機Ｉ／Ｆ２１に出力する。この宅配ボックス情報要求コマンド（以下、居室親機側宅配ボックス情報要求コマンドという。）は、居室親機Ｉ／Ｆ２１から居室親機ラインＬ2、制御機６の居室親機側制御機Ｉ／Ｆ６２を介して制御機制御回路６０へと伝送されるばかりでなく、居室親機Ｉ／Ｆ２１から居室親機ラインＬ2、居室親機２ａを除く他の居室親機２ｂ、・・・の居室親機Ｉ／Ｆ２１、・・・を介して居室親機制御回路２０、・・・へとそれぞれ伝送される。
【００３０】
なお、居室親機２ａを除く他の居室親機２ｂ、・・・の居室親機制御回路２０、・・・は、受信した居室親機側宅配ボックス情報要求コマンドが制御機６からの出力信号でないことを検出し、当該居室親機側宅配ボックス情報要求コマンドを無効であると判断する。
【００３１】
制御機６の制御機制御回路６０は、居室親機２ａからの居室親機側宅配ボックス情報要求コマンドに基づいて居室親機２ａが設置された住戸内に在室中の居住者により宅配ボックス４の利用状況の確認操作が行われたことを検出するとともに、メモリ６６に予め記憶されている宅配ボックス４のリアルタイムの利用状況、すなわち、宅配ボックス４または宅配センター５からの宅配ボックス利用情報データに基づくリアルタイムの宅配ボックス情報取得コマンドを読み出し、読み出した宅配ボックス情報取得コマンドに居室親機２ａが有する個別の居室番号（詳述せず）を付加させて居室親機側制御機Ｉ／Ｆ６２に出力する。この宅配ボックス情報取得コマンド（以下、居室親機側宅配ボックス情報取得コマンドという。）は、居室親機側制御機Ｉ／Ｆ６２から居室親機ラインＬ2、各居室親機２ａ、２ｂ、・・・の居室親機Ｉ／Ｆ２１、２１、・・・を介して居室親機制御回路２０、２０、・・・へとそれぞれ伝送される。
【００３２】
各居室親機２ａ、２ｂ、・・・の居室親機制御回路２０、２０、・・・は、制御機６からの居室親機側宅配ボックス情報取得コマンドに付加されている居室番号と自居室親機が有する居室番号とを照合し、一致した場合にのみ居室親機側宅配ボックス情報取得コマンドを有効であると判断する。ここでは、居室親機２ａの居室親機制御回路２０のみ居室番号が一致し、この居室親機制御回路２０は、居室親機表示部２３を制御して宅配ボックス４のリアルタイムの利用状況を表示させることにより、居室親機２ａが設置された住戸内に在室中の居住者は、居室親機表示部２３の表示内容から宅配ボックス４の利用状況をリアルタイムで容易に確認することができる。
【００３３】
次に、上述のように、宅配ボックス４の利用状況を定期的またはリアルタイムで確認した管理室内等に在室中の管理人が、宅配ボックス４（のボックス部）を長時間利用している居住者、ここでは、居室親機２ａが設置された住戸内に居住する居住者に対して注意通知を行うために、管理室親機３の管理室親機操作部３２にて所定の注意喚起操作（詳述せず）を行うと、この注意喚起操作を検出した管理室親機制御回路３０は、宅配ボックス注意通知コマンドに居室親機２ａが有する個別の居室番号を付加させて管理室親機Ｉ／Ｆ３１に出力する。この宅配ボックス注意通知コマンドは、管理室親機Ｉ／Ｆ３１から管理室親機ラインＬ3、制御機６の管理室親機側制御機Ｉ／Ｆ６３、制御機制御回路６０、居室親機側制御機Ｉ／Ｆ６２、居室親機ラインＬ2、各居室親機２ａ、２ｂ、・・・の居室親機Ｉ／Ｆ２１、２１、・・・を介して居室親機制御回路２０、２０、・・・へとそれぞれ伝送される。
【００３４】
各居室親機２ａ、２ｂ、・・・の居室親機制御回路２０、２０、・・・は、制御機６を介して管理室親機３から伝送されてきた宅配ボックス注意通知コマンドに付加されている居室番号と自居室親機が有する居室番号とを照合し、一致した場合にのみ宅配ボックス注意通知コマンドを有効であると判断する。ここでは、居室親機２ａの居室親機制御回路２０のみ居室番号が一致し、この居室親機制御回路２０は、居室親機表示部２３を制御して自己が利用している宅配ボックス４（のボックス部）が長期間の利用であり注意を喚起する表示を行うとともに、居室親機音声合成回路２５を制御して宅配ボックス４（のボックス部）が長期間の利用であり注意をする旨の音声信号（以下、注意通知音声信号という。）を生成させる。この注意通知音声信号は、居室親機アンプ２６を介して増幅された後、居室親機スピーカ２７へと伝送されることにより、居室親機２ａが設置された住戸内に在室中の居住者は、居室親機表示部２３の表示内容および居室親機スピーカ２７の鳴動内容から自己が利用している宅配ボックス４（のボックス部）が長期間の利用であり注意通知されたことを容易に確認することができ、この後、宅配ボックス４の設置場所である集合住宅の共用部まで赴き荷物を取り出すように迅速な対応が可能となるばかりでなく、宅配ボックス４の長期間の利用が防止され当該宅配ボックスの有効利用が図れる。
【００３５】
次に、各住戸の居住者のうち、ここでは、居室親機２ａが設置された住戸宛ての荷物を宅配業者等が宅配ボックス４に保管して所定の着荷操作（詳述せず）を行うと、居室親機２ａが有する個別の居室番号（詳述せず）を付加させた宅配ボックス着荷情報データが宅配ボックスラインＬ4に出力される。この宅配ボックス着荷情報データは、宅配ボックスラインＬ4から制御機６の宅配ボックス側制御機Ｉ／Ｆ６４を介して制御機制御回路６０へと伝送される。
【００３６】
制御機６の制御機制御回路６０は、宅配ボックス４からの宅配ボックス着荷情報データに基づいて居室親機２ａが設置された住戸宛ての荷物が宅配ボックス４に保管されている旨の着荷保管情報をメモリ６６に記憶させ、この宅配ボックス着荷情報データを居室親機側制御機Ｉ／Ｆ６２に出力するとともに、宅配ボックス着荷情報データを受信したとき、切替スイッチ６５のＯＮ／ＯＦＦの状態の相違を確認し、切替スイッチ６５がＯＦＦに切り替えられている状態、すなわち、宅配ボックス４に制御機６へと宅配ボックス滞留情報データを送信する機能が備えられていないと判断した場合には、所定時間の計時を開始する。また、制御機制御回路６０からの宅配ボックス着荷情報データは、上述の居室親機側宅配ボックス情報取得コマンドと同様な経路を介して各居室親機２ａ、２ｂ、・・・の居室親機制御回路２０、２０、・・・へとそれぞれ伝送される。
【００３７】
各居室親機２ａ、２ｂ、・・・の居室親機制御回路２０、２０、・・・は、制御機６を介して宅配ボックス４から伝送されてきた宅配ボックス着荷情報データに付加されている居室番号と自親機が有する居室番号とを照合し、一致した場合にのみ当該宅配ボックス着荷情報データを有効であると判断する。ここでは、居室親機２ａの居室親機制御回路２０のみ居室番号が一致し、この居室親機制御回路２０は、居室親機操作部２２に設けられた時間帯設定部２２ａにて予め設定されている時間帯を問わず居室親機表示部２３を制御して自住戸宛ての荷物が宅配ボックス４に保管されている旨の着荷情報を表示させるとともに、時間帯設定部２２ａにて予め設定されている時間帯外、例えば、深夜間帯を除く時間帯のみ居室親機音声合成回路２５を制御して自住戸宛ての着荷が宅配ボックス４に保管されている旨の音声信号（以下、着荷情報音声信号という。）を生成させる。この着荷情報音声信号は、居室親機アンプ２６を介して増幅された後、居室親機スピーカ２７へと伝送されることにより、居室親機２ａが設置された住戸内に在室中の居住者は、時間帯設定部２２ａにて予め設定されている時間帯においては居室親機表示部２３の表示内容のみ、同様に時間帯外においては居室親機表示部２３の表示内容および居室親機スピーカ２７の鳴動内容に基づいて自住戸宛ての荷物が宅配ボックス４に保管されていることを容易に確認することができる。
【００３８】
また、上述のように、制御機６の切替スイッチ６５がＯＦＦに切り替えられており、宅配ボックス４に当該制御機へと宅配ボックス滞留情報データを送信する機能が備えられていないと判断した制御機制御回路６０は、メモリ６６から読み出した着荷保管情報である居室親機２ａが有する個別の居室番号（詳述せず）を付加させた宅配ボックス滞留情報データを上述の宅配ボックス着荷情報データの受信時から計時が開始されている所定時間内において一定間隔で居室親機側制御機Ｉ／Ｆ６２に出力する。この宅配ボックス滞留情報データ（以下、制御機側宅配ボックス滞留情報データという。）は、上述の居室親機側宅配ボックス情報取得コマンドおよび宅配ボックス着荷情報データと同様な経路を介して各居室親機２ａ、２ｂ、・・・の居室親機制御回路２０、２０、・・・へとそれぞれ伝送される。
【００３９】
各居室親機２ａ、２ｂ、・・・の居室親機制御回路２０、２０、・・・は、制御機６からの制御機側宅配ボックス滞留情報データに付加されている居室番号と自親機が有する居室番号とを照合し、一致した場合にのみ当該制御機側宅配ボックス滞留情報データを有効であると判断する。ここでは、居室親機２ａの居室親機制御回路２０のみ居室番号が一致し、この居室親機制御回路２０は、居室親機操作部２２に設けられた時間帯設定部２２ａにて予め設定されている時間帯を問わず居室親機表示部２３を制御して自住戸宛ての荷物が宅配ボックス４に滞留されている旨の滞留情報を表示させるとともに、時間帯設定部２２ａにて予め設定されている時間帯外、例えば、深夜間帯を除く時間帯のみ居室親機音声合成回路２５を制御して自住戸宛ての荷物が宅配ボックス４に滞留されている旨の音声信号（以下、滞留情報音声信号という。）を一定間隔で生成させる。この滞留情報音声信号は、居室親機アンプ２６を介して増幅された後、居室親機スピーカ２７へと伝送されることにより、居室親機２ａが設置された住戸内に在室中の居住者は、時間帯設定部２２ａにて予め設定されている時間帯においては居室親機表示部２３の表示内容のみ、同様に時間帯外においては居室親機表示部２３の表示内容および居室親機スピーカ２７から一定間隔で鳴動される鳴動内容に基づいて自住戸宛ての荷物が宅配ボックス４に滞留されていることを容易に確認することができる。
【００４０】
一方、制御機６の切替スイッチ６５がＯＮに切り替えられており、宅配ボックス４に当該制御機へと宅配ボックス滞留情報データを送信する機能が備えられている状態において、居室親機２ａが設置された住戸宛ての荷物が宅配ボックス４に滞留されている場合、これを検出した宅配ボックス４は、居室親機２ａが有する個別の居室番号（詳述せず）を付加させた宅配ボックス滞留情報データを宅配ボックスラインＬ4に出力する。この宅配ボックス滞留情報データは、宅配ボックスラインＬ4から制御機６の宅配ボックス側制御機Ｉ／Ｆ６４を介して制御機制御回路６０へと伝送され、制御機制御回路６０は、受信した宅配ボックス滞留情報データを、上述の居室親機側宅配ボックス情報取得コマンド、宅配ボックス着荷情報データおよび制御機側宅配ボックス滞留情報データと同様な経路を介して各居室親機２ａ、２ｂ、・・・の居室親機制御回路２０、２０、・・・へとそれぞれ伝送させる。
【００４１】
各居室親機２ａ、２ｂ、・・・の居室親機制御回路２０、２０、・・・は、制御機６を介して宅配ボックス４から伝送されてきた宅配ボックス滞留情報データに付加されている居室番号と自親機が有する居室番号とを照合し、一致した場合にのみ当該宅配ボックス滞留情報データを有効であると判断する。ここでは、居室親機２ａの居室親機制御回路２０のみ居室番号が一致し、この居室親機制御回路２０は、居室親機操作部２２に設けられた時間帯設定部２２ａにて予め設定されている時間帯を問わず居室親機表示部２３を制御して自住戸宛ての荷物が宅配ボックス４に滞留されている旨の滞留情報を表示させるとともに、時間帯設定部２２ａにて予め設定されている時間帯外、例えば、深夜間帯を除く時間帯のみ居室親機音声合成回路２５を制御して上述の滞留情報音声信号を生成させる。この滞留情報音声信号は、居室親機アンプ２６を介して増幅された後、居室親機スピーカ２７へと伝送されることにより、居室親機２ａが設置された住戸内に在室中の居住者は、時間帯設定部２２ａにて予め設定されている時間帯においては居室親機表示部２３の表示内容のみ、同様に時間帯外においては居室親機表示部２３の表示内容および居室親機スピーカ２７の鳴動内容に基づいて自住戸宛ての荷物が宅配ボックス４に滞留されていることを容易に確認することができる。
【００４２】
なお、本発明の実施例による集合住宅インターホンシステムでは、複数の居室親機２ａ、２ｂ、・・・および管理室親機３のうち、宅配ボックス４から送信されてくる宅配ボックス着荷情報（宅配ボックス着荷情報データ）、宅配ボックス滞留情報（宅配ボックス滞留情報データ）の居室親機音声合成回路２５による居室親機スピーカ２７からの鳴動を遮断するための時間帯設定部を当該居室親機に備え、この時間帯設定部２２ａを居室親機操作部２２に設けたが、これに限定されず、当該時間帯設定部を管理室親機３に備えることもでき、この場合において、時間帯設定部３２ａは、上述の管理室親機操作部３２に設けられる。
【図面の簡単な説明】
【００４３】
【図１】図１は、本発明の実施例による集合住宅インターホンシステムの構成を示すブロック図である。
【符号の説明】
【００４４】
１……集合玄関機
２ａ、２ｂ、・・・ ……複数の居室親機
２２ａ……（居室親機操作部に設けられる）時間帯設定部
２３……居室親機表示部
３……管理室親機
３２ａ……（管理室親機操作部に設けられる）時間帯設定部
３３……管理室親機表示部
３５……管理室親機音声合成回路
４……宅配ボックス
５……宅配センター
６……制御機
６４……宅配ボックス側制御機Ｉ／Ｆ（通信回路）
６５……切替スイッチ
【図１】
2005079682.tif 000003